(57)【要約】【課題】人のアキレス腱を保護するためのアキレス腱保護具において、人の脚に装着した後この人が歩行しても、装着位置がずれにくいアキレス腱保護具を提供する。【解決手段】アキレス腱の部分を覆う本体部５と、本体部５の一方の側部から斜め上方向に延伸し中間部が人の脚の前側の部位をまわって先端部側の部位が本体部５に固定される第１のベルト７と、本体部５の他方の側部から斜め上方向に延伸し中間部が人の脚の前側の部位をまわって先端部側の部位が本体部５に固定される第２のベルト９とを有する。【選択図】図１
2008266824.tif 000002
【特許請求の範囲】
【請求項１】
アキレス腱の部分を覆う本体部と；
前記本体部の一方の側部から斜め上方向に延伸し、中間部が前記人の脚の前側の部位をまわって先端部側の部位が前記本体部に固定される第１のベルトと；
前記本体部の他方の側部から斜め上方向に延伸し、中間部が前記人の脚の前側の部位をまわって先端部側の部位が前記本体部に固定される第２のベルトと；
を有することを特徴とするアキレス腱保護具。
【請求項２】
請求項１に記載のアキレス腱保護具において、
一方の端部が前記本体部の一方の側部側の部位に設けられ、他方の端部が前記本体部の他方の側部側の部位に設けられ、中間部が前記人の足の底部をまわる下側ベルトを有することを特徴とするアキレス腱保護具。
【請求項３】
請求項１または請求項２に記載のアキレス腱保護具において、
前記本体部は、板状の芯材と、通気性を具備し前記芯材を覆っているカバー部材とを備えて構成されており、
人の脚から外されている状態では、前記本体部は平板状になっており、前記本体部の芯材には、通気性を良好にするための多数の貫通孔が設けられており、これらの貫通孔は、前記本体部が人の脚に装着されたときに、前記本体部の横方向で長く前記本体部の上下方向で幅の短い細長い形状に形成されていることを特徴とするアキレス腱保護具。
【請求項４】
請求項３に記載のアキレス腱保護具において、
前記芯材と前記カバー部材との間の部位であって前記本体部が人の脚に装着されたときに前記芯材と人の足のくるぶしとの間に位置する部位と、前記芯材と前記カバー部材との間の部位であって前記本体部が人の脚に装着されたときに前記芯材と人の脚のアキレス腱の上部との間に位置する部位とには、緩衝部材が設けられていることを特徴とするアキレス腱保護具。
【請求項５】
板状に形成され厚さ方向から見ると、長方形状に形成されている下側部位と、この下側部位の１つの長辺と同じ長さの下底とこの下底よりも短い長さの上底とを備えて当脚台形状に形成され前記下底が前記下側部位の１つの長辺に接続されて前記下側部位と一体に形成されている中間部位と、この中間部位の上底と同じ長さの長辺を備えて長方形状に形成され１つの長辺が前記上底に接続されて前記中間部位と一体に形成されている上側部位とを備えている芯材と、通気性を具備した板状部材で構成され前記芯材の総てが内側に入るように前記芯材を覆っていると共に前記芯材の厚さ方向から見ると前記芯材とほぼ同形で前記芯材よりも僅かに大きく形成されているカバー部材とを備えて構成された本体部と；
前記芯材の上側部位の一方の短辺のところに位置している前記カバー部材側部から、この側部に対してほぼ直交する方向に延伸していると共に、先端部側の部位が前記芯材の上側部位のところに位置している前記カバー部材の部位に着脱自在になっている上側ベルトと；
前記芯材の中間部位の一方の斜辺のところに位置している前記カバー部材の側部から、この側部に対してほぼ直交する方向に延伸していると共に、先端部側の部位が前記芯材の上側部位のところに位置している前記カバー部材の部位に着脱自在になっている第１のベルトと；
前記芯材の中間部位の他方の斜辺のところに位置している前記カバー部材の側部から、この側部に対してほぼ直交する方向に延伸していると共に、先端部側の部位が前記芯材の上側部位のところに位置している前記カバー部材の部位に着脱自在になっている第２のベルトと；
前記芯材の下側部位の一方の角部の近傍のところに位置しているカバー部材の部位に、一方の端部が着脱自在かつ回動自在に設けられ、前記芯材の下側部位の他方角部の近傍のところに位置しているカバー部材の部位に、他方の端部が着脱自在かつ回動自在に設けられた下側ベルトと；
を有することを特徴とするアキレス腱保護具。
【発明の詳細な説明】
【技術分野】
【０００１】
本発明は、アキレス腱保護具に係り、特に、台車等が人のアキレス腱に接触するおそれがある場合に人のアキレス腱を保護するものに関する。
【背景技術】
【０００２】
運送会社や工場内において様々な台車が使用されている。台車を使用する際、荷物等が高く積載されていると良好な前方視界を確保することが困難になる場合ある。また、作業中に台車が他の作業者の脚に接触するおそれがある。
【０００３】
ここで、台車の高さは、作業者のアキレス腱の高さとほぼ一致しているので、前記接触によって作業車のアキレス腱が傷つかないようにすることが重要である。
【０００４】
前述した作業においてアキレス腱を保護する従来の保護具として、たとえば、特許文献１に記載のものが知られている。
【０００５】
前記従来の保護具では、板状の本体部でアキレス腱を覆うべく前記本体部を脚の後側に装着する場合、本体部の下側で前記本体部から横方向に延びている下部のベルトと、本体部の上側で前記本体部から横方向に延びている上部のベルトとを用いて、前記装着を行なっている。
【特許文献１】意匠登録第１２８５１９１号公報
【発明の開示】
【発明が解決しようとする課題】
【０００６】
ところで、前記従来の保護具では、本体部（保護具）を人の脚に装着した場合、前記各ベルトが横方向に延び人の脚の前側をまわって、前記各ベルトの先端部が前記本体部に固定されるようになっている。ここで、前記下部ベルトが人の足の甲の上側の近くをまわっているので、人の歩行によって前記下部ベルトに足の甲から力（伸縮力等）が加わり、保護具を装着した人が作業をしていると、装着位置がたとえば上側にずれてくるという問題がある。
【０００７】
本発明は、前記問題点に鑑みてなされたものであり、人のアキレス腱を保護するためのアキレス腱保護具において、人の脚に装着した後この人が歩行しても、装着位置がずれにくいアキレス腱保護具を提供することを目的とする。
【課題を解決するための手段】
【０００８】
請求項１に記載の発明は、アキレス腱の部分を覆う本体部と、前記本体部の一方の側部から斜め上方向に延伸し、中間部が前記人の脚の前側の部位をまわって先端部側の部位が前記本体部に固定される第１のベルトと、前記本体部の他方の側部から斜め上方向に延伸し、中間部が前記人の脚の前側の部位をまわって先端部側の部位が前記本体部に固定される第２のベルトとを有するアキレス腱保護具である。
【０００９】
請求項２に記載の発明は、請求項１に記載のアキレス腱保護具において、一方の端部が前記本体部の一方の側部側の部位に設けられ、他方の端部が前記本体部の他方の側部側の部位に設けられ、中間部が前記人の足の底部をまわる下側ベルトを有するアキレス腱保護具である。
【００１０】
請求項３に記載の発明は、請求項１または請求項２に記載のアキレス腱保護具において、前記本体部は、板状の芯材と、通気性を具備し前記芯材を覆っているカバー部材とを備えて構成されており、人の脚から外されている状態では、前記本体部は平板状になっており、前記本体部の芯材には、通気性を良好にするための多数の貫通孔が設けられており、これらの貫通孔は、前記本体部が人の脚に装着されたときに、前記本体部の横方向で長く前記本体部の上下方向で幅の短い細長い形状に形成されているアキレス腱保護具である。
【００１１】
請求項４に記載の発明は、請求項３に記載のアキレス腱保護具において、前記芯材と前記カバー部材との間の部位であって前記本体部が人の脚に装着されたときに前記芯材と人の足のくるぶしとの間に位置する部位と、前記芯材と前記カバー部材との間の部位であって前記本体部が人の脚に装着されたときに前記芯材と人の脚のアキレス腱の上部との間に位置する部位とには、緩衝部材が設けられているアキレス腱保護具である。
【００１２】
請求項５に記載の発明は、板状に形成され厚さ方向から見ると、長方形状に形成されている下側部位と、この下側部位の１つの長辺と同じ長さの下底とこの下底よりも短い長さの上底とを備えて当脚台形状に形成され前記下底が前記下側部位の１つの長辺に接続されて前記下側部位と一体に形成されている中間部位と、この中間部位の上底と同じ長さの長辺を備えて長方形状に形成され１つの長辺が前記上底に接続されて前記中間部位と一体に形成されている上側部位とを備えている芯材と、通気性を具備した板状部材で構成され前記芯材の総てが内側に入るように前記芯材を覆っていると共に前記芯材の厚さ方向から見ると前記芯材とほぼ同形で前記芯材よりも僅かに大きく形成されているカバー部材とを備えて構成された本体部と、前記芯材の上側部位の一方の短辺のところに位置している前記カバー部材側部から、この側部に対してほぼ直交する方向に延伸していると共に、先端部側の部位が前記芯材の上側部位のところに位置している前記カバー部材の部位に着脱自在になっている上側ベルトと、前記芯材の中間部位の一方の斜辺のところに位置している前記カバー部材の側部から、この側部に対してほぼ直交する方向に延伸していると共に、先端部側の部位が前記芯材の上側部位のところに位置している前記カバー部材の部位に着脱自在になっている第１のベルトと、前記芯材の中間部位の他方の斜辺のところに位置している前記カバー部材の側部から、この側部に対してほぼ直交する方向に延伸していると共に、先端部側の部位が前記芯材の上側部位のところに位置している前記カバー部材の部位に着脱自在になっている第２のベルトと、前記芯材の下側部位の一方の角部の近傍のところに位置しているカバー部材の部位に、一方の端部が着脱自在かつ回動自在に設けられ、前記芯材の下側部位の他方角部の近傍のところに位置しているカバー部材の部位に、他方の端部が着脱自在かつ回動自在に設けられた下側ベルトとを有するアキレス腱保護具である。
【発明の効果】
【００１３】
本発明によれば、人のアキレス腱を保護するためのアキレス腱保護具において、人の脚に装着した後、この人が歩行しても、装着位置がずれにくいという効果を奏する。
【発明を実施するための最良の形態】
【００１４】
図１は、本発明の実施形態に係るアキレス腱保護具１の概略構成を示す正面図であり、図２は、アキレス腱保護具１の概略構成を示す背面図である。
【００１５】
図３は、アキレス腱保護具１の側面図であり図１におけるＩＩＩ矢視図であり、図４は、アキレス腱保護具１の芯材３の概略構成を示す正面図である。
【００１６】
図５は、図１におけるＶ−Ｖ断面を示す図であり、図６は、アキレス腱保護具１を人の脚に装着した状態を示す図である。
【００１７】
アキレス腱保護具１は、引越し作業等の作業を行なう作業者のアキレス腱を台車等の接触から保護するために人（作業者）の脚に装着されて使用されるものであり、本体部５と各ベルト（バンド）７、９、１１、１３を備えて構成されている。
【００１８】
本体部５は、板状に形成されており、人の脚に装着されたときに、脚の延びている方向（上下方向）から見ると「Ｕ」字状になって脚の後側に位置し、アキレス腱の部分を覆うようになっている。
【００１９】
ベルト（第１のベルト）７は、本体部５を人の脚に装着するために設けられているものであり、たとえば、平たい紐状に形成されている。また、本体部５（アキレス腱保護具１）が人の脚に装着されたときに、本体部５の一方の側部の下側の部位から斜め上方向に延伸するようになっている。さらに、ベルト７の延伸方向である長手方向の中間部が人の脚の前側の部位（アキレス腱の反対側に位置している向う脛）をまわって、先端部側の部位が本体部５の上側の部位であって本体部５の他方の側部側の部位に固定されるようになっている。
【００２０】
なお、作業者は、通常ズボンや靴を履いており、アキレス腱保護具は、ズボンや靴の上から装着されるものであるので、ベルト７の中間部は、ズボン等を間に挟むようにして人の脚の前側の部位をまっている。
【００２１】
ベルト（第２のベルト）９も、ベルト７と同様に、本体部５を人の脚に装着するために設けられているものであり、平たい紐状に形成されている。そして、本体部５が人の脚に装着されたときに、本体部５の他方の側部の下側の部位から斜め上方向に延伸するようになっている。さらに、ベルト９の長手方向の中間部が人の脚の前側の部位をまわって、先端部側の部位が本体部５の上側の部位であって本体部５の一方の側部側の部位に固定されるようになっている。
【００２２】
なお、人の脚の前側の部位をまわっているベルト９の中間部は、ベルト７の中間部と交差しており、ベルト７と共に「Ｘ」字状を呈している。
【００２３】
上側ベルト１１は、本体部５を人の脚に装着するために、たとえば補助的に設けられているものであり、平たい紐状に形成されている。そして、本体部５が人の脚に装着されたときに、本体部５の一方の側部の上側の部位から横方向に延伸し、長手方向の中間部が人の脚の前側の部位（向う脛の上側）をまわって先端部側の部位が本体部５の上側の部位であって本体部５の他方の側部側の部位に固定されるようになっている。
【００２４】
なお、本体部５を人の脚に装着する場合、本体部５に固定された上側ベルト１１の先端部側の部位の上に重ねて、ベルト７の先端部側の部位、ベルト９の先端部側の部位の少なくともいずれかを固定可能なように構成されている。
【００２５】
また、第１のベルト７、第２のベルト９、上側ベルト１１のたとえば基端部側の部位は、人の脚への装着を容易にし装着後におけるフィット感を高めて作業者が違和感をもよおすことを防止するために、各ベルト７、９、１１の長手方向で弾性を備えている。
【００２６】
下側ベルト１３も、本体部５を人の脚に装着するために、たとえば補助的に設けられているものであり、平たい紐状に形成されている。そして、長手方向の一方の端部が本体部５の一方の側部側の部位であって下部側の部位に設けられ、他方の端部が本体部５の他方の側部側の部位であって下部側の部位に設けられている。また、本体部５が人の脚に装着されたときに、中間部が人の足の底部（かかと近傍の底部；履物の底部）をまわるようになっている。
【００２７】
下側ベルト１３の各端部は、本体部５を人の脚に装着する際下側ベルト１３を装着しやすくするために、たとえば、金属ホックやプラスチックホック１５Ａ、１５Ｂによって、本体部５の厚さ方向の一方の面（たとえば、本体部５を人の脚に装着した場合外側になる面）に、着脱自在かつ回動自在（本体部５の厚さ方向とは直交する方向に延びている軸を中心に回動自在；図１の紙面に直交する方向に延びている軸を中心に回動自在）になっている。
【００２８】
下側ベルト１３のうちで、前記各端部の近くに位置する部位（本体部５が人の脚に装着されたときに足の下側に位置する部位以外の部位）は、下側ベルト１３の長手方向で弾性を備えており、下側ベルト１３の中間部を足の底部に設置しやすくなっていると共に、歩行時の違和感を無くすことができるようになっている。また、下側ベルト１３の部位のうちで靴の底に位置する部位は、弾性を備えておらず、耐摩耗性を備えた合成繊維等の部材で構成されている。
【００２９】
本体部５は、圧縮ポリエチレン等からなる硬質部材で板状に形成された芯材（台車等が本体部５に衝突した場合の衝撃に耐え得る芯材）３と、通気性と好ましくは耐摩耗性とを具備し剛性が芯材３よりも低い布状の素材（たとえばトラスネット等で構成されたメッシュ素材）で構成されたカバー部材１７とを備えて形成されている。カバー部材１７は、芯材３を覆っている。
【００３０】
人の脚から外されている状態では、本体部５は、図４の紙面の直角な方向が厚さ方向である平板状になっている。また、本体部５の芯材３には、通気性を良好にするための多数の貫通孔１９が設けられており、これらの貫通孔１９は、本体部５が人の脚に装着されたときに、本体部５の横方向（本体部５の各側部をお互いに結ぶ方向；図４の左右方向）で長く、本体部５の上下方向（図４の上下方向）で幅の短い細長い形状に形成されている。
【００３１】
芯材３とカバー部材１７との間の部位であって本体部５が人の脚に装着されたときに芯材３と人の足のくるぶしとの間に位置する部位には、緩衝部材２１Ａ、２１Ｂが突出して（図４の紙面の紙面の手前側に突出して）一体的に設けられている。さらに、芯材３と人の脚のアキレス腱の上部との間に位置する部位にも、緩衝部材２３が同様に突出して設けられている。
【００３２】
本体部５の芯材３をこの厚さ方向から見ると、図４に示すように、長方形状に形成されている下側部位２５と、等脚台形状に形成されている中間部位２７と、長方形状に形成されている上側部位２９とで構成されている。中間部位２７の下底は、下側部位２５の１つの長辺（図４における下側部位２５左右方向の寸法）と同じ長さになっており、前記下底が、下側部位２５の１つの長辺に接続されて中間部位２７は下側部位２５と一体に形成されている。中間部位２７の上底は下底よりも短い長さになっている。
【００３３】
上側部位２９は、中間部位２７の上底と同じ長さの長辺を備えて長方形状に形成されている。１つの長辺が前記上底に接続されて中間部位２７と一体に形成されている。
【００３４】
カバー部材１７は、板状に形成されており、この厚さ方向が芯材３の厚さ方向とほぼ一致するようにして、芯材３の総てが内側に入るように芯材３を覆っている。この状態で芯材３の厚さ方向から見ると芯材３とほぼ同形で芯材３よりも僅かに大きく形成されている（図２や図４を参照）。
【００３５】
なお、本体部５の厚さ方向から見た場合、応力集中を回避しまた人に接触した場合における人の安全を考慮して、芯材３やカバー部材１７の角部は、適宜の円弧状に形成されている。
【００３６】
上側ベルト１１の基端部は、芯材３の上側部位２９の一方の短辺のところに位置しているカバー部材１７の側部に一体的に設けられている。そして、上側ベルト１１は、芯材３の上側部位２９の一方の短辺のところに位置しているカバー部材１７の側部から、この側部に対してほぼ直交する方向（芯材３の上側部位２９の長手方向；横方向）に延伸している。上側ベルト１１の先端部側の部位は、芯材３の上側部位２９のところに位置しているカバー部材１７の部位３１に着脱自在になっている。
【００３７】
より詳しくは、上側ベルト１１の先端部側の部位の一方の長方形状の面にはマジックテープ（登録商標）の係合部が設けられている。上側ベルト１１の先端部側の部位が着脱されるカバー部材１７の部位３１には、所定の幅で細長い形状に形成されたマジックテープ（登録商標）の被係合部が設けられている。この被係合部は、芯材３の上側部位２９の長手方向に延びて、本体部５の厚さ方向の一方の面（本体部５を人の脚に装着した場合に外側になる面）に設けられている。
【００３８】
なお、上側ベルト１１の先端部側の部位の長方形状の他方の面（部３１の被係合部に係合する係合部が設けられている面とは反対側の面）にはマジックテープ（登録商標）の被係合部が設けられている。これにより、上側ベルト１１の上に重ねて、第１のベルト７や第２のベルトを固定することができるようになっている。
【００３９】
第１のベルト７の基端部は、芯材３の中間部位２７の一方の斜辺のところに位置しているカバー部材１７の側部に一体的に設けられている。そして、第１のベルト７が、芯材３の中間部位２７の一方の斜辺のところに位置しているカバー部材１７の側部から、この側部に対してほぼ直交する方向（斜め方向）に延伸している。第１のベルト７の先端部側の部位は、芯材３の上側部位２９のところに位置しているカバー部材１７の部位３３に着脱自在になっている。
【００４０】
より詳しくは、上側ベルト１１の先端部側の部位の一方の長方形状の面にはマジックテープ（登録商標）の係合部が形成されている。第１のベルト７の先端部側の部位が着脱されるカバー部材１７の部位３３には、所定の幅で細長い形状に形成されたマジックテープ（登録商標）の被係合部が設けられている。この被係合部は、芯材３の上側部位２９の角部（第１のベルト７の基端部側位置している側とは反対側に位置している角部）の近傍のところに位置しているカバー部材１７の部位３３に設けられている。第１のベルト７の先端部側の部位が着脱されるカバー部材１７の部位３３は、前記角部を面取りするようにして、本体部５の厚さ方向の一方の面（上側ベルト１１の着脱部位が設けられている面と同じ側の面）で、斜めに延びて設けられている。
【００４１】
第２のベルト９と第２のベルト９の先端部側の部位が係合する部位３５は、図１から理解されるように、第１のベルト７の場合とほぼ同様にして、第１のベルト７とほぼ対称（本体部５の横方向の中心軸に対して線対称）に設けられている。
【００４２】
下側ベルト１３は、長手方向の一方の端部が、芯材３の下側部位２５の一方の角部の近傍のところに位置しているカバー部材１７の部位に着脱自在かつ回動自在に係合しており、長手方向の他方の端部が、芯材３の下側部位２５の他方の角部の近傍のところに位置しているカバー部材１７の部位に着脱自在かつ回動自在に係合している。
【００４３】
また、下側ベルト１３（下側ベルト１３の長手方向の両端部）は、アキレス腱保護具１が人の脚に装着されたときに、たとえば外側になる本体部５の厚さ方向の一方の面に係合している。
【００４４】
アキレス腱保護具１が人の脚に装着されたときに内側になる芯材３の厚さ方向の一方の面には、たとえば硬質のスポンジで構成された各緩衝部材２１Ａ、２１Ｂ、２３が一体的に設けられている。各緩衝部材２１Ａ、２１Ｂは、芯材３の下側部位２５の両端部の近くであって、下側部位２５の下側に設けられている。緩衝部材２３は、芯材３の上側部位２９の上方で、横方向に長く延びて設けられている。
【００４５】
なお、芯材３の下側部位２５には、各切り欠き３７Ａ、３７Ｂが設けられている。これらの切り欠き３７Ａ、３７Ｂは、本体部５を「Ｕ」字状に変形させて人の脚に装着する場合、本体部５が弾性変形しやすくするために設けられているものである。また、細長い各貫通孔１９は、芯材３の横方向の中央部であって芯材３の上側の部位には設けられていない。この部分は台車が接触しやすい部分だからである。
【００４６】
また、図２に示すように、カバー部材１７の下部には、耐摩耗性を備えた板状の部材（合成繊維等）で覆われており、アキレス腱保護具１を長い時間使用したときに、カバー部材１７が磨耗することを防いでいる。
【００４７】
次に、アキレス腱保護具１を脚に装着する場合について説明する。
【００４８】
図１等で示すように平板状になっている本体部５を「Ｕ」字状に弾性変形させて、脚のほぼ半分を包み込むようにして脚の後側の部位に当接させる。
【００４９】
続いて、上側ベルト１１を脚の前側にまわして、脚のサイズに合った適宜に長さに調整し先端部を部位３１に固定する。
【００５０】
続いて、ベルト７を脚の前側にまわして、脚のサイズに合った適宜に長さに調整し先端部を部位３３（部位３１にすでに固定されている上側ベルト１１の被係合部を含む）に固定する。同様にしてベルト９の先端部を部位３５に固定する。
【００５１】
さらに、下側ベルト１３を回動させて、中間部が足の底を通るようにする。
【００５２】
アキレス腱保護具１によれば、本体部５（アキレス腱保護具１）を人の脚に装着した場合、第１のベルト７、第２のベルト９の中間部と先端部とが斜め上方に延伸する（「Ｘ」字状に延伸する）ので、足の甲から離れたところに第１のベルト７、第２のベルト９が位置することになり、アキレス腱保護具１を装着した人が歩行して足の甲が動いても、足の甲が第１のベルト７、第２のベルト９に接触することはなく、足の甲からの外力が第１のベルト７、第２のベルト９に加わることはほとんど無い。したがって、アキレス腱保護具１を装着した人が歩行しても装着位置がずれにくくなっている。
【００５３】
また、足の甲から離れたところに第１のベルト７、第２のベルト９が位置しているので、アキレス腱保護具１を装着した人は足首を違和感なく曲げることができ、脚への本体部５のフィット性が向上し作業がしやすくなっている。
【００５４】
また、アキレス腱保護具１によれば、上側ベルト１１が設けられているので、アキレス腱保護具１（本体部５）を人の脚に装着する場合、まず上側ベルト１１で本体部５を人の脚に設置することができる。そしてこの設置後に、第１のベルト７と第２のベルト９とで、本体部５を人の脚にしっかり設置すれば、脚へのアキレス腱保護具１の装着がしやすくなる。
【００５５】
すなわち、上側ベルト１１を設けないで、斜めに延びている第１のベルト７や第２のベルト９のみで、アキレス腱保護具１を脚へ設置しようとすると、設置するときにアキレス腱保護具１に斜めの力が加わり、アキレス腱保護具１が斜めに設置されてしまうおそれがある。しかし、上側ベルト１１を設け、まず上側ベルト１１を用いて本体部５を脚に一旦設置すれば、第１のベルト７や第２のベルト９を用いて本体部５を人の脚に設置する場合、アキレス腱保護具１が斜めに傾くおそれを回避することができ、脚へのアキレス腱保護具１の装着がしやすくなる。
【００５６】
また、アキレス腱保護具１によれば、本体部５を人の脚に装着する場合、本体部５に固定された上側ベルト１１の先端部側の部位の上に重ねて、第１のベルト７の先端部側の部位を固定可能なように構成されているので、脚へのアキレス腱保護具１の設置がしやすくなっている。
【００５７】
さらに、アキレス腱保護具１によれば、下側ベルト１３を設けてあるので、アキレス腱保護具１を装着した人が歩行したときに本体部５に上向きの力が加わっても、アキレス腱保護具１が上方に移動してずれるおそれを確実に回避することができる。また、アキレス腱保護具１を脚に装着した際、下側ベルト１３の部位のうちで靴の底に位置する部位は、弾性を備えておらず、耐摩耗性を備えた部材（合成繊維等）で構成されているので、アキレス腱保護具１を装着した人が歩行しても、下側ベルト１３の部位が傷つきにくくなっており、アキレス腱保護具１の装着者に違和感を与えることなく長時間に使用に耐えることができる。
【００５８】
また、アキレス腱保護具１によれば、本体部５の芯材３には、通気性を良好にするための多数の貫通孔１９が設けられており、これらの貫通孔１９が、横方向で長く上下方向で幅の短い細長い形状に形成されているので、アキレス腱保護具１を長時間脚に装着して作業をしたときにおける脚のむれを防止することができると共に、アキレス腱保護具１を「Ｕ」字状に変形させて脚に装着する際に、本体部５に適宜の弾力を持たせることができ、アキレス腱保護具１の脚への装着がしやすくなっている。
【００５９】
また、アキレス腱保護具１によれば、緩衝部材２１Ａ、２１Ｂ、２３が設けられているので、アキレス腱保護具１を脚に装着した場合、緩衝部材２１Ａ、２１Ｂ、２３が硬質の芯材３と脚との間に入り、アキレス腱保護具１を装着した人の違和感を解消することができる。また、アキレス腱保護具１を脚に装着した場合、緩衝部材２１Ａ、２１Ｂ、２３の近傍においては、芯材３とカバー部材１７との間に空間ＳＰが形成されるので（図５参照）、アキレス腱保護具１を長時間脚に装着して作業をしたときにおける脚のむれを防止することができる。特に、芯材３の横方向の中央部であって芯材３の上側の部位には、貫通孔１９が設けられていないが、空間ＳＰが形成されるので、脚のむれを防止することができる。
【図面の簡単な説明】
【００６０】
【図１】本発明の実施形態に係るアキレス腱保護具１の概略構成を示す正面図である。
【図２】アキレス腱保護具１の概略構成を示す背面図である。
【図３】アキレス腱保護具１の側面図であり図１におけるＩＩＩ矢視図である。
【図４】アキレス腱保護具１の芯材３の概略構成を示す正面図である。
【図５】図１におけるＶ−Ｖ断面を示す図である。
【図６】アキレス腱保護具１を人の脚に装着した状態を示す図である。
【符号の説明】
【００６１】
１  アキレス腱保護具
３  芯材
５  本体部
７  第１のベルト
９  第２のベルト
１１  上側ベルト
１３  下側ベルト
１７  カバー部材
１９  貫通孔
２１Ａ、２１Ｂ、２３  緩衝部材
２５  下側部位
２７  中間部位
２９  上側部位
【図１】
2008266824.tif 000003
【図２】
2008266824.tif 000004
【図３】
2008266824.tif 000005
【図４】
2008266824.tif 000006
【図５】
2008266824.tif 000007
【図６】
2008266824.tif 000008